(57)【要約】【課題】調整者が、画像調整する場合に、同じような色に見える点について実際に同じ色なのか全く違う色なのかを容易に検証することができる画像表示装置、画像表示システムおよびプロジェクタを提供する。【解決手段】本発明の画像表示装置は、入力される画像信号が表す画像に対し、外部から指示された所定の位置にカーソル画像を重畳する重畳部と、該重畳部で重畳して得られた画像を表示する第１の表示部と、前記所定の位置に対応する前記画像信号の階調値を、前記画像信号から取得する階調値取得部と、該階調値取得部で取得した前記階調値を外部に出力する階調値出力部と、を備える。【選択図】        図１
2004354858.tif 000002
【特許請求の範囲】
【請求項１】
画像表示装置であって、
入力される画像信号が表す画像に対し、外部から指示された所定の位置にカーソル画像を重畳する重畳部と、
該重畳部で重畳して得られた画像を表示する第１の表示部と、
前記所定の位置に対応する前記画像信号の階調値を、前記画像信号から取得する階調値取得部と、
該階調値取得部で取得した前記階調値を外部に出力する階調値出力部と、
を備えたことを特徴とする画像表示装置。
【請求項２】
画像表示装置であって、
入力される画像信号が表す画像に対し、外部から指示された所定の位置にカーソル画像を重畳する重畳部と、
該重畳部で重畳して得られた画像を表示する表示部と、
前記所定の位置に対応する前記画像信号の階調値を、前記画像信号から取得する階調値取得部と、
を備え、
前記階調値取得部で取得した階調値を、前記表示部に表示させることを特徴とする画像表示装置。
【請求項３】
請求項２に記載の画像表示装置において、
前記所定の位置に対応する座標値を導き出す座標値導出部を備え、
該座標値導出部により導き出された前記座標値を、前記階調値と併せて、前記表示部に表示させることを特徴とする画像表示装置。
【請求項４】
請求項１ないし請求項３のいずれかに記載の画像表示装置において、
前記画像表示装置は、プロジェクタであることを特徴とする画像表示装置。
【請求項５】
請求項１に記載の画像表示装置と、該画像表示装置に接続されたコンピュータと、を備えた画像表示システムであって、
前記コンピュータは、
第２の表示部と、
前記階調値出力部より出力された前記階調値を入力する階調値入力部と、
を備え、
前記階調値入力部に入力された前記階調値を前記第２の表示部に表示させることを特徴とする画像表示システム。
【請求項６】
請求項５に記載の画像表示システムにおいて、
前記画像表示装置は、
前記所定の位置に対応する座標値を導き出す座標値導出部を備え、
該座標導出部により導き出された前記座標値を、前記階調値と併せて、前記第２の表示部に表示させることを特徴とする画像表示システム。
【発明の詳細な説明】
【０００１】
【発明の属する技術分野】
本発明は、画像調整を容易にすることができる画像表示装置、画像表示システムおよびプロジェクタに関するものである。
【０００２】
【従来の技術】
従来において、プロジェクタなどの画像表示装置おいては、ルックアップテーブルなどを用いて、画像データの階調値を補正することにより、所望の画像を得るようにしていた。従って、製品出荷前の段階においては、所望の画像が得られるように、調整者が、画面に表示された画像を見ながら、上記ルックアップテーブル内のデータを操作して、画像の調整を行っていた。
なお、この様な画像調整方法として、関連するものには、例えば、下記の特許文献１に記載のものがある。
【０００３】
【特許文献１】
特開平７−１４１３２９号公報
【０００４】
【発明が解決しようとする課題】
しかしながら、上述のように、調整者が画面に表示された画像を見ながら画像調整する場合に、隣接している色が違うと、たとえ、同じ色を表示していても、人間の目には異なる色のように見えることがあるため、画像だけを見て、その色を所望の色に調整しようとしても、うまく調整することができないという問題があった。
【０００５】
従って、本発明の目的は、上述の従来技術の問題点を解決し、画像調整する場合に、同じように見える色について実際に同じ色なのか全く違う色なのかを容易に検証することができる画像表示装置及び、プロジェクタ及び、画像表示システムを提供することにある。
【０００６】
【課題を解決するための手段およびその作用・効果】
上記した目的の少なくとも一部を達成するために、本発明の第１の画像表示装置は、
入力される画像信号が表す画像に対し、外部から指示された所定の位置にカーソル画像を重畳する重畳部と、
該重畳部で重畳して得られた画像を表示する第１の表示部と、
前記所定の位置に対応する前記画像信号の階調値を、前記画像信号から取得する階調値取得部と、
該階調値取得部で取得した前記階調値を外部に出力する階調値出力部と、
を備えたことを要旨とする。
【０００７】
このように、本発明の第１の画像表示装置によれば、調整者が画像調整を行う場合に、調整者は、外部から所定の指示をすることにより、表示部に表示されている画像の指示した位置における階調値を把握することができる。従って、調整者は、同じように見える色について実際に同じ色なのか、全く違う色なのかを容易に検証することができる。
【０００８】
本発明の第２の画像表示装置は、
入力される画像信号が表す画像に対し、外部から指示された所定の位置にカーソル画像を重畳する重畳部と、
該重畳部で重畳して得られた画像を表示する表示部と、
前記所定の位置に対応する前記画像信号の階調値を、前記画像信号から取得する階調値取得部と、
を備え、
前記階調値取得部で取得した階調値を、前記表示部に表示させることを要旨とする。
【０００９】
このように、本発明の第２の画像表示装置によれば、調整者が画像調整を行う場合に、調整者は、外部から所定の指示をすることにより、表示部に表示されている画像の指示した位置における階調値を把握し、表示部に表示することができる。従って、調整者は、表示部に表示した画像を見ながら、同じように見える色について実際に同じ色なのか、全く違う色なのかを容易に検証することができる。
【００１０】
本発明の画像表示装置は、
前記所定の位置に対応する座標値を導き出す座標値導出部を備え、
該座標値導出部により導き出された前記座標値を、前記階調値と併せて、前記表示部に表示させてもよい。
【００１１】
このようにすれば、調整者は表示部を見ることにより、指示した位置における階調値に加えて座標値も把握することができる。
【００１２】
本発明の画像表示装置において、前記画像表示装置は、プロジェクタであってもよい。
【００１３】
本発明の画像表示システムは、上述の画像表示装置と、該画像表示装置に接続されたコンピュータと、を備えた画像表示システムであって、
前記コンピュータは、
第２の表示部と、
前記階調値出力部より出力された前記階調値を入力する階調値入力部と、
を備え、
前記階調値入力部に入力された前記階調値を前記第２の表示部に表示させることを要旨とする。
【００１４】
このように、本発明の画像表示システムによれば、調整者が画像調整を行う場合に、調整者は、コンピュータから所定の指示をすることにより、表示部に表示されている画像の指示した位置における階調値を把握することができる。従って、調整者は、同じように見える色について実際に同じ色なのか、全く違う色なのかを容易に検証することができる。
【００１５】
本発明の画像表示システムは、
前記画像表示装置は、
前記所定の位置に対応する座標値を導き出す座標値導出部を備え、
該座標値導出部により導き出された前記座標値を、前記階調値と併せて、前記第２の表示部に表示させるようにしてもよい。
【００１６】
このようにすれば、調整者は第２の表示部を見ることにより、指示した位置における階調値に加えて座標値も把握することができる。
【００１７】
【発明の実施の形態】
図１は、本発明の第１の実施例としてのプロジェクタ１００の概略構成を示す説明図である。
プロジェクタ１００は、制御部１０と、光変調装置としての液晶パネル９０と、外部から入力される画像信号ＶＳに基づいて、画像を処理する画像処理系２０と、画像処理系２０から出力される画像信号に基づいて液晶パネル９０を駆動する液晶パネル駆動部８０と、光源ランプ９２を備える光源ランプユニット９５と、光源ランプ９２から照射され、液晶パネル９０で変調された光をスクリーンＳＣＲ上に投写する投写光学系９７と、を備えている。画像処理系２０は、アナログで入力される画像信号ＶＳをデジタルの画像信号ＶＳ１に変換するＡ／Ｄ変換部３０と、Ａ／Ｄ変換部３０より出力される画像信号ＶＳ１を一時記憶するフレームメモリ４０と、フレームメモリ４０から読み出された画像信号ＶＳ２によって表される画像に、種々の画像を重畳するＯＳＤ部（オン  スクリーン  ディスプレイ部）５０と、ＯＳＤ部５０より出力される画像信号ＶＳ３の階調値を補正する階調補正部６０と、階調補正部６０より出力される画像信号ＶＳ４をガンマ補正するガンマ補正部７０と、を備えている。
【００１８】
制御部１０は、ＣＰＵやＲＯＭ、ＲＡＭ等のメモリを含むコンピュータで構成されており、ＲＯＭ内に格納された種々のプログラムに従って、例えば、画像を投写表示させるために、Ａ／Ｄ変換部３０、フレームメモリ４０、ＯＳＤ部５０、階調補正部６０、ガンマ補正部７０、液晶パネル駆動部８０、若しくは光源ランプユニット９５などを制御する。また、ＲＯＭには、メニュー画像やカーソルマークが記憶されている。
【００１９】
また、プロジェクタ１００は、パソコン２００と専用ケーブルで接続されている。パソコン２００は、予め用意されたプログラムが作動すると、専用ケーブルを介して、プロジェクタ１００の制御部１０に、後述するようなモード切換信号を送出する構成となっている。また、パソコン２００は、マウス２１０と、データ受信部２２０と、モニタ２３０と、キーボード２４０と、表示制御部２５０と、を備えている。
【００２０】
以下、図１を用いてプロジェクタ１００及びパソコン２００の動作について説明する。
プロジェクタ１００に入力されたアナログの画像信号ＶＳは、Ａ／Ｄ変換部３０によって、デジタルの画像信号ＶＳ１に変換される。そして、画像信号ＶＳ１はフレームメモリ４０に書き込まれ、制御部１０によって所望の処理が施された後、制御部１０によって作りだされた垂直同期信号（Ｖｓｙｎｃ）、水平同期信号（Ｈｓｙｎｃ）、クロック信号などのタイミングに基づいて、画像信号ＶＳ２として読み出される。読み出された画像信号ＶＳ２は、ＯＳＤ部５０によって、画像信号ＶＳ２で表される画像に、例えば、上述のＲＯＭに保存されたメニュー画像など種々の画像が重畳され、画像信号ＶＳ３として出力される。画像信号ＶＳ３は、階調補正部６０によって、画像信号ＶＳ３としてＲ、Ｇ、Ｂの各信号の階調値が補正され、画像信号ＶＳ４として出力される。
【００２１】
階調補正部６０は、Ｒ、Ｇ、Ｂの各信号の階調値を補正するために、Ｒ、Ｇ、Ｂの各信号それぞれに対応する階調補正用のルックアップテーブルを備えている。図２は、初期状態の階調補正部６０における、Ｒ信号の階調補正用ルックアップテーブルを図式化した階調補正線図である。この階調補正線図は、横軸に、階調補正部６０に入力されるＲ信号の階調値を、縦軸に、階調補正部６０から出力されるＲ信号の階調値が示され、これらの階調値の入出力関係を示している。
【００２２】
階調補正部６０は、初期状態では、階調補正線図が図２に示すようになっており、階調補正部６０に入力される階調値と出力される階調値とは、等しくなっている。従って、初期状態の場合には、階調補正部６０では、Ｒ信号の階調値の補正は、行われない。また、Ｇ、Ｂの各信号に対する階調補正線図も、Ｒ信号の場合と同様に、図２に示したのと同じようになっており、階調補正部６０では、Ｇ、Ｂの各信号についても、階調値の補正は行われない。なお、後述するプロジェクタ１００に対する画像調整によって、階調補正部６０におけるこれらの階調補正用のルックアップテーブルが調整されることにより、階調補正部６０において、所望の階調値の補正が行えるようになる。
【００２３】
次に、画像信号ＶＳ４は、ガンマ補正部７０によって、画像信号ＶＳ４におけるＲ、Ｇ、Ｂの各信号に対して、ガンマ補正が行われ、画像信号ＶＳ５として出力される。
ガンマ補正部７０は、ガンマ補正を行うため、Ｒ、Ｇ、Ｂの各信号それぞれに対応するガンマ補正用のルックアップテーブルを備えている。図３は、ガンマ補正部７０における、Ｒ信号用のガンマ補正用ルックアップテーブルを図式化したガンマ補正曲線図である。このガンマ補正曲線は、横軸に、ガンマ補正部７０に入力されるＲ信号の階調値が、縦軸に、ガンマ補正部７０から出力されるＲ信号の階調値が示され、これらの階調値の入出力関係を示している。
【００２４】
Ｒ信号は、このガンマ補正用のルックアップテーブルに従って、その階調値が変換されることにより、ガンマ補正される。また、同様に、Ｇ信号、Ｂ信号は、それぞれＧ信号用、Ｂ信号用のガンマ補正用のルックアップテーブルにより、ガンマ補正される。
【００２５】
次に、液晶パネル駆動部８０は、画像信号ＶＳ５に従って、液晶パネル９０を駆動する。光源ランプユニット９５より照射された光は、駆動された液晶パネル９０によって変調されて、液晶パネル９０から、画像を表す光として射出され、投写光学系９７を介して投写され、スクリーンＳＣＲに画像が投写表示される。
【００２６】
それでは、製品出荷前において、調整者が、パソコン２００を操作して、プロジェクタ１００の画像調整を行う場合について説明する。
調整者は、まず、プロジェクタ１００に、画像評価用の画像信号を画像信号ＶＳとして入力させる。これにより、スクリーンＳＣＲには、その画像信号に基づいて評価用の画像が投写表示される。
次に、調整者は、パソコン２００を操作して、予め用意されたプログラムを作動させる。これにより、パソコン２００は、プロジェクタ１００の制御部１０にモード切換信号を送信する。制御部１０が、このモード切換信号を受信すると、プロジェクタ１００は階調値取得モードとなる。
【００２７】
階調値取得モードでは、プロジェクタ１００のＯＳＤ部５０は、画像信号ＶＳ２で表される画像に、上述のＲＯＭに記憶されているカーソルマークを重畳させる。この結果、スクリーンＳＣＲに投写表示された画像には、所定の位置にカーソルマークが重畳して表示される。
そこで、調整者が、スクリーンＳＣＲに投写表示された画像を見ながら、パソコン２００のマウス７０を操作して、調整を行いたい色の部分をカーソルマークによって指示すると、パソコン２００は、マウス７０の操作に応じた変位信号を、プロジェクタ１００の制御部１０に出力する。
【００２８】
制御部１０は、その変位信号に基づいて、スクリーンＳＣＲに投写表示された画像上で、カーソルマークによって指示されている位置を特定し、その指示位置の座標値（Ｘ，Ｙ）を求める。
また、制御部１０は、フレームメモリ４０から出力された画像信号ＶＳ２を取り込み、求めた座標値（Ｘ，Ｙ）のうち、Ｙ座標値に基づいて、垂直同期信号（Ｖｓｙｎｃ）の立ち上がりから、水平同期信号のパルス数をカウントして、画像信号ＶＳ２において、上記指示位置を含む水平走査期間を特定し、さらに、Ｘ座標値に基づいて、対応した水平同期信号（Ｈｓｙｎｃ）の立ち上がりからのクロック信号のパルス数をカウントして、上記水平走査期間において、上記指示位置に対応するタイミングを特定する。そして、そのタイミングによって、画像信号ＶＳ２におけるＲ、Ｇ、Ｂ信号をサンプリングし、Ｒ、Ｇ、Ｂ信号の各階調値（ｒ，ｇ，ｂ）を、専用ケーブルを介して、パソコン２００に出力する。
【００２９】
パソコン２００のデータ受信部２２０は、制御部１０から送信されてきた上記指示位置における座標値（Ｘ，Ｙ）と階調値（ｒ，ｇ，ｂ）を受信すると、表示制御部２５０は、図４に示すように、モニタ２３０に、受信した上記指示位置における座標値（Ｘ，Ｙ）と階調値（ｒ，ｇ，ｂ）を表示させる。
【００３０】
これにより、調整者は、カーソルマークによって指示した、調整を行いたい部分について、その位置の座標値（Ｘ，Ｙ）と、その部分の階調値（ｒ，ｇ，ｂ）と、パソコン２００のモニタ２３０の表示から知ることができる。
そこで、調整者は、それらの値を参照しながら、パソコン２００を用いて、その部分の色が所望の色となるように、階調補正部６０における階調補正用のルックアップテーブルを調整する。
具体的には、まず、調整者が、パソコン２００のキーボード２４０を操作して、調整したい部分の色が所望の色となるような、階調補正曲線を作成する。図５は、Ｒ信号の階調補正曲線図であり、横軸に、階調補正部６０へ入力されるＲ信号の階調値を、縦軸に、階調補正部６０から出力されるＲ信号の階調値が示され、これらの階調値の入出力関係を示している。図５のｆは、初期状態の時の、階調値の入出力関係を示している。例えば、調整者が、図５において、ａ付近に入力される階調値を上げたい場合には、キーボード２４０から、その値を入力して、図５のｇのような曲線を作成する。Ｒ信号の全体の階調値を下げたいならば、ｈのような曲線を作成する。
【００３１】
次に、調整者は、キーボード２４０を操作して、パソコン２００にデータ生成の指示を出すと、パソコン２００は、作成した階調補正曲線に基づいて、これに対応する階調補正用のルックアップテーブルデータを作成し、プロジェクタ１００の制御部１０へ送信する。
【００３２】
これに対し、制御部１０は、パソコン２００からの階調補正用のルックアップテーブルデータを受信すると、階調補正部６０にアクセスし、階調補正部６０に格納されている階調補正用のルックアップテーブルデータを、受信した階調補正用のルックアップテーブルデータに置換させる。
この結果、階調補正部６０は、置換されたデータに基づいて、Ｒ、Ｇ、Ｂの各信号の階調値を補正するため、スクリーンＳＣＲに投写表示された画像においては、調整したい部分の色が、所望の色に調整されることになる。
【００３３】
以上のように、第１の本実施例のプロジェクタ１００においては、階調値取得モード中に、調整者が、パソコン２００のマウス７０を操作して、調整を行いたい色の部分をカーソルマークによって指示すると、その指示した位置の座標値、及びその座標におけるＲ、Ｇ、Ｂの階調値が、モニタ２３０に表示される。従って、調整者は、モニタ２３０を見れば、指示した部分のＲ、Ｇ、Ｂ信号のそれぞれの階調値を把握できるので、同じような色に見える部分について実際に同じ色なのか、それとも全く違う色なのか、を容易に検証することができる。その結果、調整者は、この検証結果に基づいて、階調補正部６０における階調補正用のルックアップテーブルを調整することにより、画像調整を行うことができる。
【００３４】
次に、本発明における第２の実施例を説明する。本発明の第２の実施例におけるプロジェクタは、第１の実施例のプロジェクタ１００と基本的に同様の構成となっており、制御部１０が、カーソルマークによって指示された位置の座標値（Ｘ，Ｙ）を求め、その座標におけるＲ、Ｇ、Ｂ信号の階調値（ｒ，ｇ，ｂ）を取得するまでの動作は、第１の実施例のプロジェクタ１００と同じである。従って、それらについての説明は省略する。
以下、異なる部分の動作について説明する。第１の実施例のプロジェクタ１００において、求めた上記指示位置の座標値（Ｘ，Ｙ）と、取得した上記Ｒ、Ｇ、Ｂ信号の階調値（ｒ，ｇ，ｂ）を、専用ケーブルを介して、パソコン２００に出力していたが、本実施例のプロジェクタにおいては、それらの値をパソコン２００には出力しない。
【００３５】
すなわち、制御部１０は、求めた上記指示位置の座標値（Ｘ，Ｙ）と、取得した上記Ｒ、Ｇ、Ｂ信号の階調値（ｒ，ｇ，ｂ）に基づいて、それらの値を示す値表示画像を生成して、ＯＳＤ部５０に与える。ＯＳＤ部５０は、画像信号ＶＳ２が表す画像に、与えられた値表示画像を重畳する。その結果、スクリーンＳＣＲには、例えば図６に示すような画像が表示される。図６には、花の画像と、略中央にカーソルマークと、左上付近には値表示画像と、が示されている。この値表示画像は、花の画像若しくは、カーソルマークに重ならないように、表示されることが好ましい。また、値表示画像は、他の画像の色と異なる色で、できるだけ目立つように表示されることが好ましい。
【００３６】
以上説明したように、本実施例のプロジェクタにおいては、階調値取得モード中に、調整者が、パソコン２００のマウス７０を操作して、調整を行いたい色の部分をカーソルマークによって指示すると、その指示した位置の座標値、及びその座標におけるＲ、Ｇ、Ｂ信号の階調値が、カーソルマークと同じスクリーンＳＣＲ上に投写表示される。従って、スクリーンＳＣＲを見れば、指示した部分のＲ、Ｇ、Ｂ信号のそれぞれの階調値を把握できるので、同じような色に見える部分について実際に同じ色なのか、それとも全く違う色なのか、を容易に検証することができる。その結果、調整者は、この検証結果に基づいて、階調補正用のルックアップテーブルを作成することができ、それを階調補正部６０に備えられた元来の階調補正用のルックアップテーブルと置換することにより画像調整をすることができる。
【００３７】
なお、本発明では、上記した実施の形態に限られるものではなく、その要旨を逸脱しない範囲において種々の態様にて実施することが可能である。
【００３８】
上述の実施例では、パソコン２００のマウス７０を操作することにより、カーソルマークを操作しているが、本発明はこれに限られるものではない。例えば、パソコン２００のキーボード２４０により、カーソルマークを操作するようにしてもよい。また、プロジェクタ１００にリモコン検出部を設け、外部からリモコンによりカーソルマークを操作するようにしてもよい。さらに、プロジェクタ１００にカーソルキーを設け、そのカーソルキーを操作することによりカーソルマークを操作するようにしてもよい。
【００３９】
上述の実施例では、データ受信部２２０が、制御部１０から送信されてきた座標値と、その座標の階調値を受信すると、パソコン２００は、パソコンのモニタ２３０に、送信されてきた座標値と、その座標のＲ、Ｇ、Ｂそれぞれの階調値を表示させるようになっているが、本発明はこれに限られるものではない。例えば、プロジェクタ１００に液晶表示装置（図示せず）が備えられており、その液晶表示装置に、制御部１０が把握している座標値と、その座標の階調値を表示させるようにしてもよい。
【００４０】
上述の実施例では、制御部１０は、カーソルマークによって指示された位置のＲ、Ｇ、Ｂ信号の階調値を、フレームメモリ４０から読み出された画像信号ＶＳ２から取得していたが、フレームメモリ４０に記憶された状態にある画像信号から取得するようにしてもよい。
【００４１】
上述の実施例では、表示装置として、プロジェクタ１００を用いて説明しているが、本発明はこれに限られるものではない。例えば、表示装置として、液晶表示装置、ＰＤＰ、ＣＲＴ、ＥＬディスプレイ、発光ダイオード型ディスプレイ、フィールドエミッションディスプレイなどでもよい。
【図面の簡単な説明】
【図１】本発明の一実施例としてのプロジェクタ１００の概略構成を示す説明図である。
【図２】初期状態の階調補正部６０における、Ｒ信号の階調補正用のルックアップテーブルを図式化した階調補正線図である。
【図３】ガンマ補正部７０における、Ｒ信号のガンマ補正テーブルを図式化したガンマ補正曲線図である。
【図４】モニタ２３０に座標値（Ｘ，Ｙ）と、その座標のＲ、Ｇ、Ｂそれぞれの階調値（ｒ，ｇ，ｂ）を表示させた場合の表示例である。
【図５】Ｒ信号の階調補正曲線図の一例を示した図である。
【図６】本発明の一実施例として、プロジェクタ１００の画像調整時におけるスクリーンＳＣＲの表示例である。
【符号の説明】
ＶＳ１…画像信号
ＶＳ２…画像信号
ＶＳ３…画像信号
ＶＳ４…画像信号
ＶＳ５…画像信号
１０…制御部
２０…画像処理系
３０…Ａ／Ｄ変換部
４０…フレームメモリ
５０…ＯＳＤ部
６０…階調補正部
７０…ガンマ補正部
８０…液晶パネル駆動部
９０…液晶パネル
９２…光源ランプ
９５…光源ランプユニット
９７…投写光学系
１００…プロジェクタ
２００…パソコン
２１０…マウス
２２０…データ受信部
２３０…モニタ
２４０…キーボード
２５０…表示制御部
【図１】
2004354858.tif 000003
【図２】
2004354858.tif 000004
【図３】
2004354858.tif 000005
【図４】
2004354858.tif 000006
【図５】
2004354858.tif 000007
【図６】
2004354858.tif 000008
【手続補正書】
【提出日】平成16年7月5日(2004.7.5)
【手続補正１】
【補正対象書類名】明細書
【補正対象項目名】００２７
【補正方法】変更
【補正の内容】
【００２７】
階調値取得モードでは、プロジェクタ１００のＯＳＤ部５０は、画像信号ＶＳ２で表される画像に、上述のＲＯＭに記憶されているカーソルマークを重畳させる。この結果、スクリーンＳＣＲに投写表示された画像には、所定の位置にカーソルマークが重畳して表示される。
そこで、調整者が、スクリーンＳＣＲに投写表示された画像を見ながら、パソコン２００のマウス２１０を操作して、調整を行いたい色の部分をカーソルマークによって指示すると、パソコン２００は、マウス２１０の操作に応じた変位信号を、プロジェクタ１００の制御部１０に出力する。


【手続補正２】
【補正対象書類名】明細書
【補正対象項目名】００３３
【補正方法】変更
【補正の内容】
【００３３】
以上のように、第１の本実施例のプロジェクタ１００においては、階調値取得モード中に、調整者が、パソコン２００のマウス２１０を操作して、調整を行いたい色の部分をカーソルマークによって指示すると、その指示した位置の座標値、及びその座標におけるＲ、Ｇ、Ｂの階調値が、モニタ２３０に表示される。従って、調整者は、モニタ２３０を見れば、指示した部分のＲ、Ｇ、Ｂ信号のそれぞれの階調値を把握できるので、同じような色に見える部分について実際に同じ色なのか、それとも全く違う色なのか、を容易に検証することができる。その結果、調整者は、この検証結果に基づいて、階調補正部６０における階調補正用のルックアップテーブルを調整することにより、画像調整を行うことができる。


【手続補正３】
【補正対象書類名】明細書
【補正対象項目名】００３６
【補正方法】変更
【補正の内容】
【００３６】
以上説明したように、本実施例のプロジェクタにおいては、階調値取得モード中に、調整者が、パソコン２００のマウス２１０を操作して、調整を行いたい色の部分をカーソルマークによって指示すると、その指示した位置の座標値、及びその座標におけるＲ、Ｇ、Ｂ信号の階調値が、カーソルマークと同じスクリーンＳＣＲ上に投写表示される。従って、スクリーンＳＣＲを見れば、指示した部分のＲ、Ｇ、Ｂ信号のそれぞれの階調値を把握できるので、同じような色に見える部分について実際に同じ色なのか、それとも全く違う色なのか、を容易に検証することができる。その結果、調整者は、この検証結果に基づいて、階調補正用のルックアップテーブルを作成することができ、それを階調補正部６０に備えられた元来の階調補正用のルックアップテーブルと置換することにより画像調整をすることができる。


【手続補正４】
【補正対象書類名】明細書
【補正対象項目名】００３８
【補正方法】変更
【補正の内容】
【００３８】
上述の実施例では、パソコン２００のマウス２１０を操作することにより、カーソルマークを操作しているが、本発明はこれに限られるものではない。例えば、パソコン２００のキーボード２４０により、カーソルマークを操作するようにしてもよい。また、プロジェクタ１００にリモコン検出部を設け、外部からリモコンによりカーソルマークを操作するようにしてもよい。さらに、プロジェクタ１００にカーソルキーを設け、そのカーソルキーを操作することによりカーソルマークを操作するようにしてもよい。


【手続補正５】
【補正対象書類名】明細書
【補正対象項目名】図１
【補正方法】変更
【補正の内容】
【図１】本発明の第１の実施例としてのプロジェクタ１００の概略構成を示す説明図である。


【手続補正６】
【補正対象書類名】明細書
【補正対象項目名】図６
【補正方法】変更
【補正の内容】
【図６】本発明の第２の実施例として、プロジェクタ１００の画像調整時におけるスクリーンＳＣＲの表示例である。